(57)【要約】【課題】無線ネットワークにおけるＵＬ  ＭＵ  ＭＩＭＯ及びＵＬ  ＯＦＤＭＡのための効率的なアクノリッジメントのための技術を提供すること。【解決手段】本発明の一特徴は、無線ネットワークにおけるアップリンク（ＵＬ）ＭＵ  ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ）又はＵＬ  ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）のアクノリッジメント送信をサポートする方法であって、前記無線ネットワークにおいて動作可能なアクセスポイント（ＡＰ）が複数の無線局（ＳＴＡ）について新たなブロックアクノリッジメント（ＢＡ）タイプを規定することによって、前記ＡＰと通信する異なるＳＴＡにアクノリッジメントを順次又は同時に送り返すことを可能にするステップを有する方法に関する。【選択図】図７
2011211703.tif 000002
【特許請求の範囲】
【請求項１】
無線ネットワークにおけるアップリンク（ＵＬ）ＭＵ  ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ）又はＵＬ  ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）のアクノリッジメント送信をサポートする方法であって、
前記無線ネットワークにおいて動作可能なアクセスポイント（ＡＰ）が複数の無線局（ＳＴＡ）について新たなブロックアクノリッジメント（ＢＡ）タイプを規定することによって、前記ＡＰと通信する異なるＳＴＡにアクノリッジメントを順次又は同時に送り返すことを可能にするステップを有する方法。
【請求項２】
マルチＳＴＡ  ＢＡは、各ＳＴＡについて１つのＢＡ情報フィールドを有する、請求項１記載の方法。
【請求項３】
前記マルチＳＴＡ  ＢＡの変形についてのＢＡ情報は、
【数２】
2011211703.tif 000004
である、請求項２記載の方法。
【請求項４】
前記マルチＳＴＡ  ＢＡの変形についてのＢＡ情報は、
【数３】
2011211703.tif 000005
である、請求項２記載の方法。
【請求項５】
ＤＬ  ＭＵ  ＭＩＭＯがサポートされているとき、前記ＡＰは、複数のＳＴＡにＢＡを同時に送信可能であり、
前記ＢＡは、データフレームにより集約される、請求項１記載の方法。
【請求項６】
無線ネットワークにおけるアクセスポイント（ＡＰ）と通信するよう構成される送受信機を有する移動局（ＭＳ）であって、
前記ＡＰは、前記ＡＰが複数の無線局（ＳＴＡ）について新たなブロックアクノリッジメント（ＢＡ）を規定することによって前記ＡＰと通信する異なるＳＴＡにアクノリッジメントを順次又は同時に送り返すことを可能にすることによって、前記無線ネットワークにおけるアップリンク（ＵＬ）ＭＵ  ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ）又はＵＬ  ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）のアクノリッジメント送信をサポートするよう構成される送受信機を有する移動局。
【請求項７】
マルチＳＴＡ  ＢＡは、各ＳＴＡについて１つのＢＡ情報フィールド
【数４】
2011211703.tif 000006
を有する、請求項６記載の移動局。
【請求項８】
前記マルチＳＴＡ  ＢＡの変形についてのＢＡ情報は、
【数５】
2011211703.tif 000007
であり、
前記ＢＡ情報は、他のフィールドを有することが可能であり、
ＢＡビットマップは、ＢＡ開始シーケンスコントロールの前方にある、請求項７記載の移動局。
【請求項９】
前記マルチＳＴＡ  ＢＡの変形についてのＢＡ情報は、
【数６】
2011211703.tif 000008
である、請求項７記載の移動局。
【請求項１０】
ＤＬ  ＭＵ  ＭＩＭＯがサポートされているとき、前記ＡＰは、複数のＳＴＡに同時にＢＡを送信可能であり、
前記ＢＡは、データフレームにより集約される、請求項６記載の移動局。
【請求項１１】
アクセスされるとマシーンに処理を実行させるコンピュータ実行可能な命令により符号化されるコンピュータ可読媒体であって、
前記処理は、無線ネットワークにおいて動作可能なアクセスポイント（ＡＰ）が複数の無線局（ＳＴＡ）について新たなブロックアクノリッジメント（ＢＡ）を規定することによって前記ＡＰと通信する異なるＳＴＡにアクノリッジメントを順次又は同時に送り返すことを可能にすることによって、前記無線ネットワークにおけるアップリンク（ＵＬ）ＭＵ  ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ）又はＵＬ  ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）のアクノリッジメント送信をサポートすることを有するコンピュータ可読媒体。
【請求項１２】
マルチＳＴＡ  ＢＡは、各ＳＴＡについて１つのＢＡ情報フィールドを有する、請求項１１記載のコンピュータ可読媒体。
【請求項１３】
前記マルチＳＴＡ  ＢＡの変形についてのＢＡ情報は、
【数７】
2011211703.tif 000009
である、請求項１２記載のコンピュータ可読媒体。
【請求項１４】
前記マルチＳＴＡ  ＢＡの変形についてのＢＡ情報は、
【数８】
2011211703.tif 000010
である、請求項１２記載のコンピュータ可読媒体。
【請求項１５】
ＤＬ  ＭＵ  ＭＩＭＯがサポートされているとき、前記ＡＰは、複数のＳＴＡに同時にＢＡを送信可能であり、
前記ＢＡは、データフレームにより集約される、請求項１１記載のコンピュータ可読媒体。
【請求項１６】
無線ネットワークにおける無線局（ＳＴＡ）と通信するよう構成される送受信機を有するアクセスポイント（ＡＰ）であって、
前記送受信機はさらに、前記ＡＰが複数のＳＴＡについて新たなブロックアクノリッジメント（ＢＡ）を規定することによって前記ＡＰと通信する異なるＳＴＡに順次又は同時にアクノリッジメントを送り返すことを可能にすることによって、前記無線ネットワークにおけるアップリンク（ＵＬ）ＭＵ  ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ）又はＵＬ  ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）のアクノリッジメント送信をサポートするよう構成されるアクセスポイント。
【請求項１７】
マルチＳＴＡ  ＢＡは、各ＳＴＡについて１つのＢＡ情報フィールドを有する、請求項１６記載のアクセスポイント。
【請求項１８】
前記マルチＳＴＡ  ＢＡの変形についてのＢＡ情報は、
【数９】
2011211703.tif 000011
である、請求項１７記載のアクセスポイント。
【請求項１９】
前記マルチＳＴＡ  ＢＡの変形についてのＢＡ情報は、
【数１０】
2011211703.tif 000012
である、請求項１７記載のアクセスポイント。
【請求項２０】
ＤＬ  ＭＵ  ＭＩＭＯがサポートされているとき、前記ＡＰは、複数のＳＴＡに同時にＢＡを送信可能であり、
前記ＢＡは、データフレームにより集約される、請求項１６記載のアクセスポイント。
【発明の詳細な説明】
【技術分野】
【０００１】
本発明は、無線ネットワークにおけるＵＬ  ＭＵ  ＭＩＭＯ及びＵＬ  ＯＦＤＭＡのための効率的なアクノリッジメントのための技術に関する。
【背景技術】
【０００２】
アップリンク（ＵＬ）ＭＵ  ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ）を用いて基本サービスセット（ＢＳＳ）のネットワークキャパシティを増加させることが可能である。ＵＬ  ＭＵ  ＭＩＭＯによると、複数のＳＴＡがマルチアンテナアクセスポイント（ＡＰ）に同時に（時間及び周波数において）送信することが可能とされ、結果として得られる信号がＡＰのＭＩＭＯイコライザにより分離される。１００として全体表示される図１は、明示的なａｃｋが利用されるときのＵＬ  ＭＵ  ＭＩＭＯ処理を示す。非明示的なａｃｋが用いられる場合、ＳＴＡはＢＡＲフレームを送信する必要はない。ＳＴＡからデータフレームを受信すると、ＡＰは、ブロックａｃｋ（ＢＡ）を順次送り返す。ＢＡは、ＲＩＦＳ（Ｒｅｄｕｃｅｄ  Ｉｎｔｅｒ  Ｆｒａｍｅ  Ｓｐａｃｅ）により分離される。
【０００３】
既存のＩＥＥＥ（Ｉｎｓｔｉｔｕｔｅ  ｆｏｒ  Ｅｌｅｃｔｒｏｎｉｃ  ａｎｄ  Ｅｌｅｃｔｒｉｃａｌ  Ｅｎｇｉｎｅｅｒｓ）８０２．１１に従って動作する現在の無線ネットワークは、ＵＬ  ＭＵ  ＭＩＭＯの利用をサポートしておらず、このため、ＵＬ  ＭＵ  ＭＩＭＯ技術における改善が必要とされる。
【発明の概要】
【発明が解決しようとする課題】
【０００４】
本発明の課題は、無線ネットワークにおけるＵＬ  ＭＵ  ＭＩＭＯ及びＵＬ  ＯＦＤＭＡのための効率的なアクノリッジメントのための技術を提供することである。
【課題を解決するための手段】
【０００５】
上記課題に鑑み、本発明の一特徴は、無線ネットワークにおけるアップリンク（ＵＬ）ＭＵ  ＭＩＭＯ（Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ）又はＵＬ  ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）のアクノリッジメント送信をサポートする方法であって、前記無線ネットワークにおいて動作可能なアクセスポイント（ＡＰ）が複数の無線局（ＳＴＡ）について新たなブロックアクノリッジメント（ＢＡ）タイプを規定することによって、前記ＡＰと通信する異なるＳＴＡにアクノリッジメントを順次又は同時に送り返すことを可能にするステップを有する方法に関する。
【発明の効果】
【０００６】
本発明によると、無線ネットワークにおけるＵＬ  ＭＵ  ＭＩＭＯ及びＵＬ  ＯＦＤＭＡのための効率的なアクノリッジメントのための技術を提供することができる。
【図面の簡単な説明】
【０００７】
【図１】図１は、本発明の実施例によるＵＬ  ＭＵ  ＭＩＭＯ又はＵＬ  ＯＦＤＭＡ（明示的なａｃｋ）を示す。
【図２】図２は、本発明の実施例によるマルチＳＴＡ  ＢＡの変形によるＵＬ  ＭＵ  ＭＩＭＯ又はＵＬ  ＯＦＤＭＡ処理を示す。
【図３】図３は、本発明の実施例によるブロックａｃｋのフレームフォーマットを提供する。
【図４】図４は、本発明の実施例によるＢＡ情報フィールド（マルチＳＴＡ  ＢＡ変形）のフレームフォーマットを提供する。
【図５】図５は、ＢＡ情報フィールド（マルチＳＴＡマルチＴＩＤ  ＢＡの変形）のフレームフォーマット
【数１】
2011211703.tif 000003
を提供する。
【図６】図６は、本発明の実施例によるＤＬ  ＭＵ  ＭＩＭＯサポートによるＵＬ  ＭＵ  ＭＩＭＯ又はＵＬ  ＯＦＤＭＡ処理を示す。
【図７】図７は、本発明の実施例によるシステムを提供する。
【発明を実施するための形態】
【０００８】
以下、図面に基づいて本発明の実施の形態を説明する。
【０００９】
簡単化のため、図面に示される要素は必ずしもスケーリングされて示されているとは限らないことが理解されるであろう。例えば、一部の要素の大きさは他の要素に対して明りょうにするため誇張されている。さらに、適切であると考えられる場合、参照番号は対応する又は類似の要素を示すため図面間で繰り返される。
【００１０】
以下の詳細な説明では、本発明の完全な理解を提供するため、多数の具体的な詳細が与えられる。しかしながら、本発明はこれら具体的な詳細なしに実現可能であることが当業者により理解されるであろう。他の例では、本発明を不明りょうにしないように、周知の方法、処理、構成要素及び回路は詳細には説明されない。
【００１１】
本発明の実施例はこれに限定されるものでないが、“処理”、“計算”、“算出”、“決定”、“確定”、“解析”、“確認”などの用語を用いた説明は、コンピュータのレジスタ及び／又はメモリ内の物理量として表されるデータを、演算及び／又は処理を実行するための命令を格納可能なコンピュータのレジスタ及び／又はメモリ若しくは他の情報記憶媒体内の物理量として同様に表される他のデータに操作及び／又は変換するコンピュータ、計算プラットフォーム、計算システム又は他の電子計算装置の演算及び／又は処理を表す。
【００１２】
本発明の実施例はこれに限定されるものでないが、ここで用いられる“複数の”という用語は、例えば、“複数の”若しくは“２以上の”などを含むものであってもよい。“複数の”という用語は、２以上の構成要素、装置、要素、ユニット、パラメータなどを示すため明細書全体で用いられてもよい。例えば、“複数のステーション”とは、２以上のステーションを含むものであってもよい。
【００１３】
本発明の実施例は、アップリンク（ＵＬ）Ｍｕｌｔｉ−ｕｓｅｒ  Ｍｕｌｔｉｐｌｅ  Ｉｎｐｕｔ  Ｍｕｌｔｉｐｌｅ  Ｏｕｔｐｕｔ（ＭＵ  ＭＩＭＯ）又はＵＬ  ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）のアクノリッジメント送信をサポートする手段を提供する。ＵＬ  ＭＵ  ＭＩＭＯを用いてベーシックサービスセット（ＢＳＳ）のネットワークキャパシティを増加させることが可能である。ＵＬ  ＭＵ  ＭＩＭＯによると、複数のＳＴＡがマルチアンテナＡＰに同時に（時間及び周波数について）送信することが可能とされ、結果として得られる信号がＡＰのＭＩＭＯイコライザにより分離される。上述されるように、現在の８０２．１１規格はマルチＳＴＡ  ＢＡを規定していない。しかしながら、本発明の実施例は、ＡＰがＭＡＣ効率を向上させるためＵＬ  ＭＵ  ＭＩＭＯのためのＢＡを同時に送り返すことを可能にする機構を用いて、マルチＳＴＡ  ＢＡ及びマルチＳＴＡマルチＴＩＤ  ＢＡを規定する。
【００１４】
図１の１００において、本発明の実施例による明示的なアクノリッジメントが利用される際のＵＬ  ＭＵ  ＭＩＭＯ又はＵＬ  ＯＦＤＭＡ処理が再び参照される。非明示的なアクノリッジメントが用いられる場合、ＳＴＡはＢＡＲフレームを送信する必要はない。ＳＴＡからデータフレームを受信すると、ＡＰはブロックアクノリッジメント（ＢＡ）を順次送り返す。ＢＡは、ＲＩＦＳ（Ｒｅｄｕｃｅｄ  Ｉｎｔｅｒ  Ｆｒａｍｅ  Ｓｐａｃｅ）により分離される。
【００１５】
本発明の実施例は、ＡＰがアクノリッジメントを異なるＳＴＡに順次又は同時に送り返すことを可能にする機構を提供する。図１は、ＡＰがＵＬ  ＭＵ  ＭＩＭＯのためＢＡを順次送信する際のケースを示す。ＭＡＣ効率性を向上させるため、本発明はこれに限定されるものでないが、ＡＰは、１つのＵＬ  ＭＵ  ＭＩＭＯ送信において受信されるすべてのデータフレームをアクノリッジメントするため、１つのＢＡを送信してもよい。
【００１６】
図２の２００において、マルチＳＴＡ  ＢＡが利用される際のＵＬ  ＭＵ  ＭＩＭＯ処理が示される。この場合、ＡＰは、以前にＡＭＰＤＵを受信した受信先のすべてのＳＴＡに対する情報を含む１つのＢＡフレームをブロードキャスト又はマルチキャストする。図３の３００は、本発明の実施例において利用可能なブロックアクノリッジメントのフレームフォーマットを示す。
【００１７】
本発明の実施例は、複数のＳＴＡについて新たなＢＡタイプを規定する。図４の４００において、マルチＳＴＡ  ＢＡの変形のためのＢＡ情報が示される。マルチＳＴＡ  ＢＡは、各ＳＴＡについて１つのＢＡ情報フィールドを含む。
【００１８】
本発明の他の実施例では、図５の５００において、マルチＳＴＡマルチＴＩＤ  ＢＡについてＢＡ情報フィールドが規定される。
【００１９】
図６の６００において、ＡＰが複数のＳＴＡにＢＡを同時に送信可能なＤＬ  ＭＵ  ＭＩＭＯがサポートされるケースを示す本発明のさらなる他の実施例が提供される。ＢＡは、本ケースではデータフレームにより誇張される。
【００２０】
図７の７００において、移動局（ＭＳ又はＳＴＡとも呼ばれる）とアプリケーション７３０とが、限定されることなく携帯電話、ラップトップ、ＰＤＡなどのモバイルユーザ端末７１０に一緒に配置される本発明の実施例によるシステム図が提供される。ＭＳ及び基地局（ＢＳ又はアクセスポイント（ＡＰ）とも呼ばれる）７４０が無線通信する。ＭＳとＢＳとは共に、ここに与えられる実施例により動作する送受信機を利用してもよい。
【００２１】
本発明のさらなる実施例は、無線ネットワークにおいて動作可能なＡＰが複数のＳＴＡについて新たなブロックアクノリッジメント（ＢＡ）を規定することによってＡＰと通信する異なる無線局（ＳＴＡ）に順次又は同時にアクノリッジメントを送り返すことを可能にすることによって、アクセス時にマシーンに無線ネットワークのＵＬ  ＭＵ  ＭＩＭＯのためのアクノリッジメント送信をサポートすることを含む処理を実行させるコンピュータにより実行可能な命令により符号化されたコンピュータ可読媒体を提供する。
【００２２】
本発明の特定の特徴が図示及び説明されたが、多数の改良、置換、変更及び均等が当業者に想到しうる。従って、添付した請求項は本発明の真の趣旨に属するものとしてこのようなすべての改良及び変更をカバーしうることが理解されるべきである。
【００２３】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００２４】
７００  システム
７２０  移動局
７３０  アプリケーション
７４０  アクセスポイント
【図１】
2011211703.tif 000013
【図２】
2011211703.tif 000014
【図３】
2011211703.tif 000015
【図４】
2011211703.tif 000016
【図５】
2011211703.tif 000017
【図６】
2011211703.tif 000018
【図７】
2011211703.tif 000019